(57)【要約】【課題】    ぜんまいの巻き上げ完了時に、良好な巻き上げ感を得ることができるぜんまい装置、およびこれを備えた時計を提供すること。【解決手段】香箱真１ｃに第２角穴車４を設けるとともに、香箱真１ｃには、第２角穴車４に設けられた凹み部４ｄに所定のガタを有して挿入される突起４ｃを設け、突起４ｃおよび凹み部４ｄを介して香箱真１ｃの回転を第２角穴車４に伝達し、香箱真１ｃの逆方向への回転を第２角穴車４に接続された逆回転防止機構４０により規制する。従って、ぜんまいの巻き上げ完了時には、突起４ｃと凹み部４ｄとの間のガタ分だけ香箱真１ｃが巻き戻され、この巻き戻りが手動巻き上げ機構を介して指先に伝達されるため、良好な巻き上げ感を得ることができる。【選択図】  図５
2005156344.tif 000002
【特許請求の範囲】
【請求項１】
ぜんまい、このぜんまいの一端が接続された香箱歯車、および前記ぜんまいの他端が固定された香箱真を有した香箱車と、前記香箱真に固定された第１角穴車と、前記香箱真に連結された第２角穴車とを備えたぜんまい装置であって、
前記第１角穴車には、当該第１角穴車を介して前記香箱真を巻き上げ方向へ回転させることで、前記ぜんまいを巻き上げる手動巻き上げ機構が接続され、
前記第２角穴車には、前記巻き上げ方向と逆方向への前記ぜんまいの巻き戻りを抑制する逆回転防止機構が接続されており、
前記香箱真および第２角穴車のいずれか一方には、他方に設けられた凹部に前記香箱真の回転方向に関して余裕をもって挿入される凸部が設けられ、これらの凸部および凹部を介して、前記巻き上げ方向への前記香箱真の回転が前記第２角穴車に伝達されるとともに、前記巻き上げ方向と逆方向への前記香箱真の回転が前記逆回転防止機構により抑制されることを特徴とするぜんまい装置。
【請求項２】
請求項１に記載のぜんまい装置において、
前記凸部と凹部との間には、前記香箱真および第２角穴車が当該香箱真の回転方向に関して１０°〜３０°だけ相対回転可能なガタが設けられていることを特徴とするぜんまい装置。
【請求項３】
請求項１または請求項２に記載のぜんまい装置において、
前記凸部および凹部は、それぞれ前記香箱真の軸回りの周方向に沿って複数設けられていることを特徴とするぜんまい装置。
【請求項４】
請求項１から請求項３のいずれかに記載のぜんまい装置において、
前記凸部は、前記香箱真に固定されて径方向に突出する突起であり、前記凹部は、前記第２角穴車に形成された凹みであることを特徴とするぜんまい装置。
【請求項５】
請求項１から請求項４のいずれかに記載のぜんまい装置において、
前記第２角穴車の外周には、歯形が形成されており、前記逆回転防止機構は、前記第２角穴車の歯形に係合する係合部材を有して構成されていることを特徴とするぜんまい装置。
【請求項６】
請求項５に記載のぜんまい装置において、
前記係合部材は、前記香箱真に平行に、かつ前記第２角穴車に対して進退可能に設けられるとともに、前記第２角穴車の歯形に向かって付勢されていることを特徴とするぜんまい装置。
【請求項７】
請求項１から請求項６のいずれかに記載のぜんまい装置において、
前記第１角穴車と第２角穴車とは、前記香箱車を挟んで対向していることを特徴とするぜんまい装置。
【請求項８】
請求項１から請求項７のいずれかに記載のぜんまい装置において、
前記第２角穴車は、前記香箱車を挟んで地板の反対側に設けられていることを特徴とするぜんまい装置。
【請求項９】
請求項１から請求項８のいずれかに記載のぜんまい装置と、このぜんまい装置を構成する香箱歯車に接続された輪列と、この輪列に結合された指針と、前記ぜんまい装置を構成する手動巻き上げ機構に連結された竜頭とを備え、
前記ぜんまい装置を構成するぜんまいの機械エネルギにより前記輪列が駆動されることを特徴とする時計。
【請求項１０】
請求項９に記載の時計において、
てんぷを備えた機械式時計であることを特徴とする時計。
【請求項１１】
請求項９に記載の時計において、
前記輪列を介して伝達される前記ぜんまいの機械エネルギを電気エネルギに変換する発電機と、変換された電気エネルギにより駆動されて前記発電機の回転周期を制御する回転制御手段と、を備えた電子制御式機械時計であることを特徴とする時計。
【発明の詳細な説明】
【技術分野】
【０００１】
本発明は、ぜんまい装置、およびこれを備えた時計に関する。例えば、手巻き式や、手巻き式と自動巻式を併用して巻き上げられるぜんまいと、調速のためのてんぷとを有した機械式時計や、そのようなぜんまいが解ける時に出力される機械エネルギを発電機で電気エネルギに変換し、その電気エネルギで回転制御手段を作動させて発電機の回転周期を制御することにより調速される電子制御式機械時計に利用できる。
【背景技術】
【０００２】
従来より、ぜんまいの機械エネルギを利用して指針を運針させる機械式時計が知られている。また、近年では、ぜんまいが解放する時の機械エネルギを発電機で電気エネルギに変換し、その電気エネルギにより回転制御手段を作動させて発電機のコイルに流れる電流値を制御することにより、輪列に固定される指針を正確に運針させて正確に時刻を表示する電子制御式機械時計（例えば、特許文献１参照）も多く用いられている。
【０００３】
また、機械式時計や電子制御式機械時計において、手動でぜんまいを巻き上げる際の違和感を低減させるための巻き上げ機構が提案されている（例えば、特許文献２参照）。
特許文献２に記載された巻き上げ機構は、自動巻き上げ機構と手動巻き上げ機構とを備え、手動巻き上げ機構の巻真の回転が自動巻き上げ機構の巻き上げ輪列に伝達され、その後に送り部材および伝え車を介して角穴車に伝達されることで、送り部材から手動巻き上げ機構に伝わる衝撃が緩和され、手動でぜんまいを巻き上げる際の違和感を低減できるようになっている。
【０００４】
【特許文献１】特開平８−５７５８号公報
【特許文献２】特開２００３−２７９６６５号公報
【発明の開示】
【発明が解決しようとする課題】
【０００５】
しかしながら、特許文献１、２の時計では、いずれも角穴車に係合するこはぜによって角穴車および香箱真の逆回転が防止されているため、手動によるぜんまいの巻き上げ完了時において、ぜんまいから竜頭に伝わる巻き戻り感が乏しく、良好な巻き上げ感が得られないという問題がある。
すなわち、こはぜによって角穴車の逆回転を防止した場合には、巻き上げ完了時にこはぜと角穴車の歯形との噛み合いのガタ（バックラッシ）分だけ角穴車が逆回転し、この逆回転分だけの巻き戻りが竜頭に伝達されることになるが、このガタは角穴車の歯形１つ分（通常、６°〜７°分）であって非常に小さいため、巻き戻り感がほとんど指先に伝わらない。
【０００６】
本発明の目的は、ぜんまいの巻き上げ完了時に、良好な巻き上げ感を得ることができるぜんまい装置、およびこれを備えた時計を提供することにある。
【課題を解決するための手段】
【０００７】
本発明のぜんまい装置は、ぜんまい、このぜんまいの一端が接続された香箱歯車、および前記ぜんまいの他端が固定された香箱真を有した香箱車と、前記香箱真に固定された第１角穴車と、前記香箱真に連結された第２角穴車とを備えたぜんまい装置であって、前記第１角穴車には、当該第１角穴車を介して前記香箱真を巻き上げ方向へ回転させることで、前記ぜんまいを巻き上げる手動巻き上げ機構が接続され、前記第２角穴車には、前記巻き上げ方向と逆方向への前記ぜんまいの巻き戻りを抑制する逆回転防止機構が接続されており、前記香箱真および第２角穴車のいずれか一方には、他方に設けられた凹部に前記香箱真の回転方向に関して余裕をもって挿入される凸部が設けられ、これらの凸部および凹部を介して、前記巻き上げ方向への前記香箱真の回転が前記第２角穴車に伝達されるとともに、前記巻き上げ方向と逆方向への前記香箱真の回転が前記逆回転防止機構により抑制されることを特徴とする。
【０００８】
このような本発明によれば、凸部が凹部に余裕をもって挿入される、つまり第２角穴車と香箱真との間に、香箱真の回転方向に関して所定の大きさのガタを設けることで、ぜんまいの巻き上げ完了時に、このガタ分だけ香箱真が巻き上げ方向と逆向きに巻き戻されることになる。そして、ぜんまい巻き上げのための第１角穴車や、駆動力を伝達するための香箱車、第２角穴車に接続された逆回転防止機構等に特殊な構造を用いることなく、第２角穴車および香箱真（凸部および凹部）のガタ寸法を設定するだけで、適切な巻き戻り量を設定することができる。従って、手動によるぜんまいの巻き上げ完了時の香箱真の巻き戻りが、第１角穴車、手動巻き上げ機構を介して竜頭および指先に伝達され、良好な巻き上げ感を得ることができる。
この際、第２角穴車の逆回転を規制する逆回転防止機構としては、通常の機械時計等に用いられるこはぜと、第２角穴車の外周に形成した歯形との噛み合いにより構成したものでもよく、また第２角穴車をラチェットとして、そのつめと噛み合う戻り止め等を設けたものでもよく、その他、第２角穴車を一方向に回転させる一般的な機構が採用可能である。
【０００９】
この際、本発明のぜんまい装置では、前記凸部と凹部との間には、前記香箱真および第２角穴車が当該香箱真の回転方向に関して１０°〜３０°だけ相対回転可能なガタが設けられていることが好ましい。
このような構成によれば、こはぜによって角穴車の逆回転を規制する従来の構造と比較して、香箱真の巻き戻り量が約２〜５倍に設定できるので、巻き戻り感が指先にはっきり伝わり、巻き上げ感を一層良好にすることができる。
【００１０】
また、本発明のぜんまい装置では、前記凸部および凹部は、それぞれ前記香箱真の軸回りの周方向に沿って複数設けられていることが好ましい。
このような構成によれば、凸部および凹部を各々複数設けたことで、これらの間に作用する力を分散させて、１箇所あたりの凸部および凹部を小さくでき、ぜんまい装置を小型化することができる。また、複数の凸部および凹部を香箱真の軸回りの周方向に沿って設けたことで、香箱真の軸方向に関する寸法が大きくならず、ぜんまい装置を時計等の携帯機器に用いた場合において、機器の厚さ寸法を小さくすることができる。
【００１１】
さらに、本発明のぜんまい装置では、前記凸部は、前記香箱真に固定されて径方向に突出する突起であり、前記凹部は、前記第２角穴車に形成された凹みであることが好ましい。
このような構成によれば、凸部としての突起を香箱真に設けたことで、第２角穴車よりも径寸法が小さい香箱真に凹部を形成する場合と比較して、加工が簡単になり、製造コストを節約することができる。
【００１２】
また、本発明のぜんまい装置では、前記第２角穴車の外周には、歯形が形成されており、前記逆回転防止機構は、前記第２角穴車の歯形に係合する係合部材を有して構成されていることが好ましい。
このような構成によれば、簡単な構造で第２角穴車の逆回転を規制することができ、装置の小型化および低コスト化を促進することができる。
【００１３】
この際、本発明のぜんまい装置では、前記係合部材は、前記香箱真に平行に、かつ前記第２角穴車に対して進退可能に設けられるとともに、前記第２角穴車の歯形に向かって付勢されていることが好ましい。
このような構成によれば、第２角穴車の歯形に係合する係合部材が、第２角穴車に対して進退可能に設けられるとともに、第２角穴車に向かって付勢されているので、ぜんまい巻き上げ時における第２角穴車の回転に連動して係合部材が進退動作し、確実に第２角穴車の逆回転を防止することができる。
【００１４】
また、本発明のぜんまい装置では、前記第１角穴車と第２角穴車とは、前記香箱車を挟んで対向していることが好ましい。
このような構成によれば、第１および第２の角穴車が香箱車を挟んで互いに反対側に設けられ、香箱車の一方の側に並べて配置されないので、第１角穴車に接続される手動巻き上げ機構と、第２角穴車に接続される逆回転防止機構とが干渉することなく、装置レイアウトを整然としたものにできるとともに、装置の組立性を向上させることができる。
【００１５】
さらに、本発明のぜんまい装置では、前記第２角穴車は、前記香箱車を挟んで地板の反対側に設けられていることが好ましい。
このような構成によれば、第２角穴車が香箱車を挟んで地板の反対側（時計などに用いた場合の裏蓋側）に配置されるので、香箱車を地板に組み込んだ後に第２角穴車や逆回転防止機構を組み込むことができ、装置の組立性を一層向上させることができる。
【００１６】
一方、本発明の時計は、前記いずれかのぜんまい装置と、このぜんまい装置を構成する香箱歯車に接続された輪列と、この輪列に結合された指針と、前記ぜんまい装置を構成する手動巻き上げ機構に連結された竜頭とを備え、
前記ぜんまい装置を構成するぜんまいの機械エネルギにより前記輪列が駆動されることを特徴とすることを特徴とする。
このような構成によれば、前述と同様の作用効果を有した時計を構成することができる。
【００１７】
この際、本発明の時計は、てんぷを備えた機械式時計であることが好ましい。
このような構成によれば、ぜんまい巻き上げ完了時に竜頭が巻き戻ることで、良好な巻き上げ感を得ることができ、高級感に優れた機械式時計を構成することができる。
【００１８】
また、本発明の時計は、前記輪列を介して伝達される前記ぜんまいの機械エネルギを電気エネルギに変換する発電機と、変換された電気エネルギにより駆動されて前記発電機の回転周期を制御する回転制御手段と、を備えた電子制御式機械時計であることが好ましい。
このような構成によれば、ぜんまい巻き上げ完了時に竜頭が巻き戻りることで、良好な巻き上げ感を得ることができ、高級感に優れるとともに、誤差が小さく正確な運針が実現可能な電子制御式機械時計を構成することができる。
【発明の効果】
【００１９】
以上の本発明によれば、ぜんまいの巻き上げ完了時に、良好な巻き上げ感を得ることができるぜんまい装置、およびこれを備えた時計を提供することができる。
【発明を実施するための最良の形態】
【００２０】
以下、本発明の実施形態を図面に基づいて説明する。
図１は、本発明に係るぜんまい装置を備えた電子制御式機械時計の概略を示す平面図、図２は、その要部の断面図である。
電子制御式機械時計は、香箱車１を備えている。香箱車１は、ぜんまい１ａと、香箱歯車１ｂと、香箱真１ｃと、香箱蓋１ｄとを備えている。ぜんまい１ａは、外端が香箱歯車１ｂに接続され、内端が香箱真１ｃに固定されて、香箱車１に収容されている。香箱真１ｃは、地板２に軸支され、香箱歯車１ｂに対して相対回転可能になっている。すなわち、香箱歯車１ｂに対して香箱真１ｃを回転させることでぜんまい１ａが巻き上げられ、巻き上げられたぜんまい１ａがほどけることで香箱歯車１ｂが回転駆動されるようになっている。
【００２１】
香箱真１ｃの一端側である地板２側には、第１角穴車３が固定されている。また、香箱真１ｃの他端側である裏蓋側、つまり香箱車１を挟んで地板２の反対側には、第２角穴車４が設けられている。
第１角穴車３には、図示しない竜頭、巻真３１、つづみ車３２、きち車３３、丸穴車３４、および角穴中間車３５を有して構成された手動巻き上げ機構３０が接続されている。また、第２角穴車４には、当該第２角穴車４を一方方向に回転させて逆方向への回転を規制する逆回転防止機構４０が接続されている。そして、竜頭を回転操作することにより、手動巻き上げ機構３０を介して第１角穴車３が回転され、前記香箱真１ｃを巻き上げ方向（本実施形態では時計方向）に回転させて、ぜんまい１ａが巻き上げられるようになっている。
なお、本実施形態においては説明を省略するが、電子制御式機械時計は、手動巻き上げ機構３０に併せて、回転錘や自動巻き上げ輪列を有して構成され、第１角穴車３に接続される自動巻き上げ機構を備えていてもよい。
【００２２】
また、電子制御式機械時計において、香箱歯車１ｂの回転は、二番車５、三番車６、四番車７および図示しない秒針車、五番車８、六番車９からなる輪列を介して増速されて、発電機２０のローター２１へと伝達される。そして、秒針車には秒針が固定され、二番車６には筒かなを介して分針が固定され、筒かなには日の裏車を介して筒車（不図示）が接続され、この筒車に時針が固定されている。
なお、各車５〜９およびローター２１は、輪列受や二番受と地板２とによって軸支されている。
【００２３】
発電機２０は、ローター２１およびコイルブロック２２，２３から構成されている。ローター２１は、図示しないローター磁石や、ローターかな２１ａ、ローター慣性円板２１ｂを備えている。このうち、ローター慣性円板２１ｂは、香箱車１からの駆動トルク変動に対しローター２１の回転速度変動を少なくするためのものである。コイルブロック２２，２３は、それぞれステータ（コア、磁心）２４にコイル２５を巻線して構成されたものである。各ステータ２４は、ローター２１に隣接して配置されるコアステーター部２４ａと、コイル２５が巻回されるコア巻線部２４ｂと、互いに連結されるコア磁気導通部２４ｃとが一体に形成されて構成されている。
【００２４】
以上の電子制御式機械時計では、発電機２０からの交流出力は、昇圧整流、全波整流、半波整流、トランジスター整流等からなる整流回路を通して昇圧、整流されて平滑用コンデンサーに充電され、このコンデンサーからの電力で発電機２０の回転を制御する図示しない回転制御回路を作動させている。回転制御回路としては、発振回路、分周回路、回転検出回路、回転数比較回路、電磁ブレーキ制御手段等を含む集積回路（ＩＣ）によって構成され、発振回路には水晶振動子が用いられる。このような回転制御回路によって、発電機２０のコイル２５に流れる電流値等を制御したり、ショートブレーキを掛けたりすることで、輪列（ローター２１）の回転速度、つまり指針（秒針、分針、時針）の運針が正確に駆動されるようになっている。
【００２５】
次に、香箱車１、第１角穴車３、および第２角穴車４を備えて構成される本発明のぜんまい装置１０について、図２〜６に基づいて詳しく説明する。
ここで、図３、４は、それぞれぜんまい装置１０を示す側面図、および斜視図である。図５は、ぜんまい装置１０の平面図であり、図６は、第２角穴車４を示す断面図である。
【００２６】
ぜんまい装置１０において、第２角穴車４は、香箱真１ｃに回転不能に固定される支持部４ａと、この支持部４ａに軸支される回動部４ｂとを有して構成されている。支持部４ａは、中央に角穴を有した円盤状に形成され、その外周面には、直径方向に突出した２本の突起４ｃが設けられている。また、回動部４ｂは、外周に歯形４ｅを有する全体略リング状に形成され、その内部に支持部４ａの円盤状部分が挿入されることで、支持部４ａに回動可能に支持されている。そして、回動部４ｂの内部には、支持部４ａの突起４ｃに対応して２つの凹み部４ｄが設けられており、この凹み部４ｄに突起４ｃが所定のガタ分だけ余裕をもって挿入されている。
【００２７】
すなわち、回動部４ｂの凹み部４ｄは、図５、６に示すように、平面視で略扇形に形成され、香箱真１ｃの軸回りに関する幅寸法が、支持部４ａの突起４ｃの幅寸法よりも大きく設定されている。具体的には、突起４ｃが凹み部４ｄ内で香箱真１ｃの軸回りに移動可能で、香箱真１ｃおよび支持部４ａと、回動部４ｂとが１０°〜３０°だけ相対回転できる程度のガタが設けられている。そして、手動巻き上げ機構３０および第１角穴車３を介して香箱真１ｃが巻き上げ方向に回転されると、突起４ｃが凹み部４ｄ内部の一方側面に当接して、第２角穴車４が図５の矢印の方向に回転し、ぜんまい１ａが巻き上げられるようになっている。
【００２８】
また、巻き上げ操作を中止すると、逆回転防止機構４０により第２角穴車４の回動部４ｂの回転が停止されるとともに、ぜんまい１ａがほどける力により突起４ｃが凹み部４ｄ内部の他方側面に当接するまで、支持部４ａおよび香箱真１ｃが巻き上げ方向と逆方向に巻き戻される。この香箱真１ｃの巻き戻りは、第１角穴車３および手動巻き上げ機構３０を介して竜頭に伝達され、竜頭の巻き戻り感を指先で感じることができるようになっている。
【００２９】
逆回転防止機構４０は、第２角穴車４を巻き上げ方向への一方方向のみに回転させる機能を有しており、図示しない受け材を介して地板２に取り付けられた板ばね（リーフスプリング）４１と、この板ばね４１の途中位置に固定され、かつ第２角穴車４の歯形４ｅに係合可能な係合ピン４２と、地板２に取り付けられ、かつ板ばね４１の先端が当接する当接部材４３とを有して構成されている。
板ばね４１は、第２角穴車４の外周近傍位置を跨いで配置された棒状の部材であって、その基端部（図５の上部）がねじ４４で地板２に固定されている。また、板ばね４１の基端部には、位置決めピン４５が挿通されており、基端部の回転が規制されている。そして、板ばね４１は基端部を支点として、図５の二点鎖線で示すように、先端側が自らの弾性力により第２角穴車４側に付勢されて当接部材４３に当接した状態と、図５の実線で示すように、第２角穴車４から離れる外側に撓んだ状態との間を回動可能になっている。
【００３０】
係合ピン４２は、板ばね４１の撓みに伴って、第２角穴車４の歯形４ｅ間に対して進退可能に構成され、係合ピン４２が第２角穴車４側に移動して歯形４ｅに係合することで、第２角穴車４の巻き上げ方向と逆方向への回転が規制されるようになっている。また、係合ピン４２は、図５に点線および一点鎖線で示すように、巻き上げ方向へ回転する第２角穴車４の歯形４ｅに対して摺動し、外側に移動しやすいように傾斜面等を有した断面形状になっている。
従って、ぜんまい１ａの巻き上げ時に香箱真１ｃを介して第２角穴車４が巻き上げ方向へ回転された場合には、歯形４ｅが板ばね４１の付勢力に抗して係合ピン４２を外側に押すことで、板ばね４１が撓んで、係合ピン４２と歯形４ｅとの係合が外れる。そして、１つの歯形４ｅを通過すれば、板ばね４１の弾性力により係合ピン４２は、第２角穴車４側に移動し、次の歯形４ｅに係合することになる。このような動作を繰り返すことで逆回転防止機構４０では、第２角穴車４がぜんまい１ａの巻き上げ方向のみに回転し、逆回転しないようになっている。
なお、逆回転防止機構４０は、通常の機械時計等に用いられるこはぜと、第２角穴車４の歯形４ｅとの噛み合いにより構成されていてもよく、また、図７〜９に示すように、第２角穴車４をラチェットとした構成が採用できる。
【００３１】
図７は、本実施形態の変形例に係るぜんまい装置１０Ａを示す斜視図である。図８は、ぜんまい装置１０Ａの平面図である。
図７、８において、第２角穴車４の回動部４ｂは、外周につめ４ｆが形成されたラチェットになっており、逆回転防止機構４０の係合ピン４２は、円柱状に形成されている。これらの点が相違する以外、ぜんまい装置１０Ａは、前述のぜんまい装置１０と略同様の構成を備えている。
従って、ぜんまい装置１０Ａにおいて、回動部４ｂのつめ４ｆが係合ピン４２に係合することで、第２角穴車４の逆回転が防止され、第２角穴車４が巻き上げ方向への一方方向のみに回転可能に構成されている。
【００３２】
このような本実施形態によれば、以下のような効果がある。
(１) すなわち、電子制御式機械時計においては、香箱真１ｃに固定された支持部４ａの突起４ｃが、回動部４ｂの凹み部４ｄにガタを有して挿入され、手動によるぜんまい１ａの巻き上げ完了時においては、そのガタ分だけ香箱真１ｃが巻き上げ方向と逆向きに巻き戻されるので、この香箱真１ｃの巻き戻りを、手動巻き上げ機構３０を介して竜頭および指先に伝達でき、良好な巻き上げ感を得ることができる。
【００３３】
(２) 突起４ｃと凹み部４ｄとのガタは、香箱真１ｃと回動部４ｂとが１０°〜３０°だけ相対回転できる程度に設定されているので、この範囲において、香箱真１ｃの巻き戻り量を任意に設定できる。また、従来のこはぜで角穴車の逆回転を規制する構造と比較して、香箱真１ｃの巻き戻り量が約２〜５倍の範囲で設定できるので、巻き戻り感が指先にはっきり伝わり、巻き上げ感を一層良好にできる。
【００３４】
(３) 突起４ｃおよび凹み部４ｄが２つずつ設けられていることで、突起４ｃと凹み部４ｄとの間に作用する力を分散させて、１箇所あたりの突起４ｃおよび凹み部４ｄを小さくでき、ぜんまい装置１０，１０Ａを小型化できる。また、複数の突起４ｃおよび凹み部４ｄが香箱真１ｃの軸回りの周方向に沿って設けられているため、香箱真１ｃの軸方向に関する寸法が大きくならず、ぜんまい装置１０，１０Ａの厚さ寸法を小さくできる。
【００３５】
(４) 突起４ｃが設けられた第２角穴車４の支持部４ａを香箱真１ｃに回転不能に固定して凸部が形成されているので、香箱真１ｃに凸部を容易に設けることができる。また、径寸法が小さい香箱真１ｃに凹部を形成する場合と比較して、加工を簡単にでき、製造コストを節約することができる。
【００３６】
(５) 第１角穴車３と第２角穴車４とが香箱車１を挟んで対向して配置されているので、第１角穴車３に接続される手動巻き上げ機構３０と、第２角穴車４に接続される逆回転防止機構４０とが干渉することなく、装置レイアウトを整然としたものにできるとともに、ぜんまい装置１０，１０Ａの組立性を向上させることができる。さらに、第２角穴車４が裏蓋側に配置されているので、香箱車１を地板２に組み込んだ後に第２角穴車４や逆回転防止機構４０を組み込むことができ、組立性を一層向上させることができる。
【００３７】
(６) 板ばね４１と係合ピン４２とを有して逆回転防止機構４０が構成されているので、簡単な構造で第２角穴車４の逆回転を規制することができ、ぜんまい装置１０，１０Ａの小型化および低コスト化を促進することができる。また、第２角穴車４の歯形４ｅやつめ４ｆに係合する係合ピン４２が、第２角穴車４に対して進退可能に、かつ第２角穴車４に向かって付勢されているので、ぜんまい１ａ巻き上げ時の第２角穴車４の回転に連動して係合ピン４２が進退動作し、確実に第２角穴車４の逆回転を防止することができる。
【００３８】
なお、本発明は前述の実施形態に限定されるものではなく、本発明の目的を達成できる範囲での変形、改良等は本発明に含まれるものである。
例えば、本発明は、電子制御式機械時計に限らず、がんぎ車、アンクル、てんぷ等を備える機械式時計に適用してもよい。
【００３９】
また、前記実施形態では、凸部としての突起４ｃを香箱真１ｃに固定し、凹部としての凹み部４ｄを第２角穴車４の回動部４ｂに設けたが、これに限らず、第２角穴車４の回動部４ｂに凸部を設け、香箱真１ｃに凹部を設けてもよい。また、凸部および凹部は、各２つに限らず、１つずつでもよく、また各３つ以上設けてもよい。
【００４０】
また、前記実施形態では、第２角穴車４を裏蓋側に配置したが、これに限らず、第２角穴車を香箱車１に対して地板２側に配置してもよい。この際、第１角穴車３を裏蓋側に配置してもよく、また、香箱車１と第２角穴車４との間や、第２角穴車４と地板２との間に配置してもよい。
【図面の簡単な説明】
【００４１】
【図１】本発明の一実施形態に係るぜんまい装置を備えた電子制御式機械時計の概略を示す平面図である。
【図２】前記電子制御式機械時計の要部の断面図である。
【図３】前記ぜんまい装置を示す側面図である。
【図４】前記ぜんまい装置を示す斜視図である。
【図５】前記ぜんまい装置を示す平面図である。
【図６】前記ぜんまい装置の第２角穴車を示す断面図である。
【図７】前記実施形態の変形例に係るぜんまい装置を示す斜視図である。
【図８】前記ぜんまい装置を示す平面図である。
【符号の説明】
【００４２】
１…香箱車、１ａ…ぜんまい、１ｂ…香箱歯車、１ｃ…香箱真、２…地板、３…第１角穴車、４…第２角穴車、４ｃ…突起（凸部）、４ｄ…凹み部（凹部）、４ｅ…歯形、４ｆ…つめ、５〜９…輪列、１０，１０Ａ…ぜんまい装置、２０…発電機、３０…手動巻き上げ機構、３１…巻真、４０…逆回転防止機構、４１…板ばね、４２…係合ピン（係合部材）。
【図１】
2005156344.tif 000003
【図２】
2005156344.tif 000004
【図３】
2005156344.tif 000005
【図４】
2005156344.tif 000006
【図５】
2005156344.tif 000007
【図６】
2005156344.tif 000008
【図７】
2005156344.tif 000009
【図８】
2005156344.tif 000010